(57)【要約】      （修正有）【課題】上水道配管の改修工事に使用される止水プラグ装置であって、配水本管を断水することなく、配水支管に対してのみの工事施工で、配水本管の管栓（閉栓）や新規バルブの装着、管交換ができる止水プラグ装置を提供する。【解決手段】合成ゴム製の止水プラグ１３を挟持するリング状をしたヘッドフロント１５とヘッドリア１６とを有し、その中央に設けられたシャフト部にヘッドリア１６を引き寄せ押圧し、止水プラグを押圧拡張変形させるための締め付けナット１９を螺着してあり、止水プラグはヘッドフロントを介して、目的位置への挿し込み操作及び取り外し操作をするための案内管の先端に着脱自在に取り付けられていることとする。【選択図】図１
0003184617.tif 000002
【実用新案登録請求の範囲】
【請求項１】
合成ゴム製の止水プラグを挟持するリング状をしたヘッドフロントとヘッドリアとを有し、その中央に設けられたシャフト部にヘッドリアを引き寄せ押圧し、前記止水プラグを押圧拡張変形させるための締め付けナットを螺着してあり、止水プラグは前記ヘッドフロントを介して、目的位置への挿し込み操作及び取り外し操作をするための案内管の先端に着脱自在に取り付けられていることを特徴とする止水プラグ装置。
【請求項２】
前記した着脱自在の取り付けは螺着としてあることを特徴とする請求項１に記載の止水プラグ装置。
【請求項３】
前記したシャフト部はヘッドフロントの開口縁が内方に延長された挿通孔に挿入されたシャフト、あるいはヘッドリアの中心が一体に後方へ延設されたものであることを特徴とする請求項１または２に記載の止水プラグ装置。
【請求項４】
前記したヘッドリアの前方には、そのヘッドリアによって後端を押され拡開し、止水する管内壁と当圧し、その管内で位置ロックする爪体を備えていることを特徴とする請求項１から３のうち１項に記載の止水プラグ装置。
【考案の詳細な説明】
【技術分野】
【０００１】
本考案は止水プラグ装置に関し、特に上水道配管の改修工事に使用される止水プラグ装置であって、配水本管を断水することなく、配水支管に対してのみの工事施工で、配水本管の管栓（閉栓）や新規バルブの装着、管交換等々の目的を達成することができることとする止水プラグ装置に関する。
【背景技術】
【０００２】
従来、配水本管から分岐され、給水管が接続される配水支管に対する工事を施工する場合、必ず配水本管に設置されている複数の制水弁を閉じ、配水本管を断水状態とする必要があり、工事周域に対して大きな悪影響を及ぼしてしまうものとなっている。
【先行技術文献】
【特許文献】
【０００３】
【特許文献１】特開２０１３−７２３２号公報
【考案の概要】
【考案が解決しようとする課題】
【０００４】
本考案が解決しようとする問題点は、従来、配水支管に工事を施工するに際して、配水本管を断水することなく済ますことができる格別な止水プラグ装置は知られていないという点である。
【課題を解決するための手段】
【０００５】
上記した問題点を解決するために、本考案に係る止水プラグ装置は合成ゴム製の止水プラグを挟持するリング状をしたヘッドフロントとヘッドリアとを有し、その中央に設けられたシャフト部にヘッドリアを引き寄せ押圧し、前記止水プラグを押圧拡張変形させるための締め付けナットを螺着してあり、止水プラグは前記ヘッドフロントを介して、目的位置への挿し込み操作及び取り外し操作をするための案内管の先端に着脱自在に取り付けられていることを特徴としている。
【０００６】
また、本考案に係る止水プラグ装置は前記した着脱自在の取り付けは螺着としてあることを特徴とし、前記したシャフト部はヘッドフロントの開口縁が内方に延長された挿通孔に挿入されたシャフト、あるいはヘッドリアの中心が一体に後方へ延設されたものであることを特徴とし、前記したヘッドリアの前方には、そのヘッドリアによって後端を押され拡開し、止水する管内壁と当圧し、その管内で位置ロックする爪体を備えていることを特徴としている。
【考案の効果】
【０００７】
本考案に係る止水プラグ装置は上記のように構成されている。そのため、この止水プラグ装置を使用することで、配水本管の制御弁を閉めて断水状態としなくても、この止水プラグの作用で、配水本管から配水支管の水の通水を一時的に停止させ、必要な工事を施工でき、工事完了とともに即時に初期状態に復元でき、工事周域への影響も少なく、工事の時間や経費を少なくて済むものとできる。
【図面の簡単な説明】
【０００８】
【図１】本考案を実施した止水プラグ装置を示す図である。
【図２】止水プラグ装置の第二実施例を示す図である。
【考案を実施するための形態】
【０００９】
図面として示し、実施例で説明したように構成したことで実現した。
【実施例１】
【００１０】
次に、本考案の好ましい実施の一例を図面を参照して説明する。図１にあって１３は止水プラグを示しており、この止水プラグ１３は合成ゴム製の円筒形となっており、ヘッドフロント１５とヘッドリア１６の間に挟持された形態となっている。このヘッドフロント１５とヘッドリア１６はリング状に形成されており、ヘッドフロント１５の内側開口縁が内方へ延設されてセンターシャフト１７の挿通孔を形成する壁体１５ａとされている。この壁体１５ａの先端はヘッドリア１６の中心孔内に余剰スペースＳをもって入り込み、このスペースＳ分のヘッドリア１６の位置移動によって、止水プラグ１３を押圧、圧縮して拡張変形させ、その止水プラグ１３を工事施工する配水支管の内面壁に密接させることで、配水本管からの通水を止水する。
【００１１】
前記した挿通孔内に挿し込まれたセンターシャフト１７はヘッドフロント１５側へ一端を突出され、回転受板１８を介し、そのセンターシャフト１７のヘッドフロント１５側に刻設されたネジ部１７ａに締め付けナット１９が螺着されている。尚、２０は締め付けナット１９から突出したセンターシャフト１７のネジ部１７ａに螺着された抜け止めナットである。
【００１２】
また、ヘッドフロント１５の締め付けナット１９側には円筒形をした立壁２１がセンターシャフト１７の突出部及び締め付けナット１９の一部を囲むように一体に形成されており、この立壁２１の外周面に形成されたネジ部２１ａに、止水プラグ１３を目的位置、特に施工する配水支管内へ挿し込み、及び引き抜いての取り外し作業をするための案内管１４の先端が螺合された構成となっており、止水プラグ１３と案内管１４の一体化が図られている。尚、このネジ部２１ａと案内管１４との螺合は、これにこだわるものではなく、気密な圧嵌合やフックや爪を用いた係合であってもよく、着脱が可能であればよい。
【００１３】
前記したセンターシャフト１７のヘッドリア１６側の突出部分には位置決めロック用の爪機構２２が取り付けられ、その爪機構２２は抜け止め防止部材２３によって支持されている。この爪機構２２には、本実施例では一対の爪体２４、２４が１８０度ピッチの対称位置で、その頭部寄りを枢支ピン２５、２５に取り付けられ、枢動自在に備えられている。この爪体２４、２４の頭部側面は円弧状となっており、その外側寄りの部分をヘッドリア１６の前面と当接するように配備されている。尚、この爪体２４、２４は一対に限らず、放射状に三以上設けることもできる。
【００１４】
この爪機構２２の先端側には、爪体２４、２４と対応して一対のウィング部材２６、２６が設けられている。このウィング部材２６、２６の突端部分には爪体２４に形成されたガイド用の溝２４ａと対応するガイドピン２７、２７が設けられている。そして、このガイドピン２７、２７と爪機構２２の爪体２４、２４の内方上部に形成されたスプリング受け２８との間にはコイルスプリング２９が張設され、爪体２４を常に閉方向へ附勢している。
【００１５】
この第一実施例に係る止水プラグ装置は、締め付けナット１９をナットドライバで締め付けると、その締め付けナット１９と螺合しているセンターシャフト１７が引き寄せられ、爪機構２２によってヘッドリア１６が押され、止水プラグ１３の押圧変形が開始される。同時に、爪体２４、２４の頭部外側面がヘッドリア１６の前面と当圧摺接して枢動し、その爪体２４、２４の先端がコイルスプリング２９の附勢力に抗して拡開し、挿入されている配水支管の内壁面と当圧して位置決めロックすることとなる。また、締め付けナット１９をナットドライバで逆方向に回転させてやると、センターシャフト１７は押し送りされ、止水プラグ１３は押圧から解放されて復元し、爪体２４、２４もコイルスプリング２９の附勢力にも補助されて初期状態となる。
【実施例２】
【００１６】
次いで、本考案の第二の実施例を図２を参照して説明する。この第二実施例にあって、第一実施例と共通する部分には同一の符号を付して詳しい説明は省略する。この第二実施例にあってはヘッドリア３０の中心部分が一体に奥方へ延設され、その延設によってシャフト部３１が形成され、そのシャフト部３１の外周にネジ部３１ａが刻設された構成となっている。
【００１７】
また、ヘッドフロント３２の中心部分には円筒状の垂壁３２ａが形成され、その垂壁３２ａとシャフト部３１との間にスペースＳを形成し、ヘッドリア３０の可動域を確保している。締め付けナット１９をナットドライバで締め付けると、シャフト部３１が引き寄せられ、ヘッドリア３０がヘッドフロント３２との間に設けられた止水プラグ１３を押圧し、拡張変形させることは第一実施例と同様であり、その解除も同様となる。
【００１８】
ここで、かかる止水プラグ装置を使用するについての配水支管の改修工事について概要を説明する。一般的に、配水支管は配水本管に設けられたＴ字管と接合されて分岐されている。この配水支管にサドルを有するフランジ筒体を取り付け、そのフランジ筒体を通してリングカッターで配水支管に透孔を穿設し、その透孔から止水栓を圧嵌入し、配水支管内の通水を停止させる。
【００１９】
前記した止水を確認したら、配水支管をその止水栓の二次側の指定位置で切断し、その切断箇所から二次側の管を除去する。配水支管の切断された開口にはフランジ短管を設置し、加えて、止水プラグ装置の案内管１４を位置決めロックするための位置決め手段、例えば一部に切れ目を有するリング体が設置される。その位置決め手段で案内管１４を位置決めロックして、配水支管の切断された開口から止水プラグ装置を挿入する。位置決め手段をフランジ短管に固定することで、案内管１４は後方への動きも止められる。この止水プラグ装置の挿入後に止水栓を引き上げ配水支管内を通水状態とする。
【００２０】
この止水プラグ装置の挿入後は、Ｔ字管と案内管の後方に抜け止めアームを設置し、案内管１４の後端にキャップを被冠し、案内管１４を押すことを可能とする。止水プラグ１３をＴ字管内へ押し込み、配水本管からの通水を停めて、配水支管に新規バルブを組み付けたり、配水本管に管栓を行なうこともできる。
【符号の説明】
【００２１】
１３    止水プラグ
１４    案内管
１５，３２  ヘッドフロント
１５ａ  壁体
１６，３０  ヘッドリア
１７    センターシャフト
１７ａ，２１ａ，３１ａ  ネジ部
１８    回転受板
１９    締め付けナット
２０    抜け止めナット
２２    爪機構
２３    抜け止め部材
２４    爪体
２４ａ  ガイド用の溝
２５    枢支ピン
２６    ウィング部材
２７    ガイドピン
２８    スプリング受け
２９    コイルスプリング
３１    シャフト部
３２ａ  垂壁
Ｓ      スペース
【図１】
0003184617.tif 000003
【図２】
0003184617.tif 000004